(57)【要約】【課題】操作者が誤ってタッチパネルに触れることで操作表示が一部又は全部消去されることによる操作性の悪化を防ぐことができる情報処理装置を提供する。【解決手段】表示画面と、前記表示画面の表層部に設けられたタッチパネルから成る操作部とを有し、前記操作部における複数の感圧領域のそれぞれに対応した操作情報を前記表示画面に表示する情報処理装置において、前記操作部の特定の感圧領域に所定の時間以上の感圧が行われたか否かを判定する判定手段を有し、前記判定手段の判定結果に応じた処理を行うことを特徴とする。【選択図】      図６
2004287793.tif 000002
【特許請求の範囲】
【請求項１】
表示画面と、前記表示画面の表層部に設けられたタッチパネルから成る操作部とを有し、前記操作部における複数の感圧領域のそれぞれに対応した操作情報を前記表示画面に表示する情報処理装置において、
前記操作部の特定の感圧領域に所定の時間以上の感圧が行われたか否かを判定する判定手段を有し、
前記判定手段の判定結果に応じた処理を行うことを特徴とする情報処理装置。
【発明の詳細な説明】
【０００１】
【発明の属する技術分野】
本発明は、タッチパネルから成る操作部を有する情報処理装置に関するものである。
【０００２】
【従来の技術】
近年、情報機器が多機能化される傾向にあり、情報機器を操作する操作部も複雑化している。このような多機能化の下でも、操作者が必要な機能は限られているため、全ての機能の操作部を操作者に提供する必要はなく、情報機器が操作者に必要な操作部だけ提供する方がよい。
【０００３】
このような点を考慮した装置として、複写機の複数の機能中から特定の機能に関する表示の消去及びキー入力の禁止のために当該特定の機能を指定又は指定を解除する操作をタッチパネル付表示部で行わせる機能設定モードを有する複写機の操作パネルが公開されている（例えば、特許文献１参照）。
【０００４】
また、画面呼出し信号の内容に応じて、表示画面上にタッチによる割込み機能をもつデータ表示部を含むグラフィック表示画面を表示するタッチパネル装置において、タッチエリア要求信号を発生する表示用キーと、この表示用キーから前記タッチエリア要求信号が発生されている間はタッチエリア表示要求有りと判断して、記憶手段からタッチエリア情報を読み出して表示画面上のデータ表示部にタッチエリアを出力する出力手段と、この出力手段からのタッチエリア情報の送出を解除する消去キーとを有するタッチパネル装置が公開されている（例えば、特許文献２参照）。
【０００５】
情報機器における多機能化の下で、情報機器が操作者に必要な操作部だけ提供する手段として、上述した複写機の操作パネル及びタッチパネル装置の技術は有効であった。
【０００６】
【特許文献１】
特開平２−１２９６６３号公報
【特許文献２】
特開平６−３４２２７８号公報
【０００７】
【発明が解決しようとする課題】
しかしながら、上記特許文献１の操作パネルのように、特定の機能の指定又は指定の解除をタッチパネル付の表示部により行わせる機能設定モードを備える構成では、誤って上記の機能の指定を示すタッチパネル領域に操作者が触れてしまった場合、誤って指定した上記機能の表示をタッチパネル付の表示部から消去させてしまう恐れが生じる。この点から、操作者が誤ってタッチパネルに触れてしまった場合でも操作表示が表示部から消去されない手段を備えることが望まれる。
【０００８】
また、上記特許文献２のタッチパネル装置のように、タッチエリア表示の消去を行う消去キーをタッチパネル上に設ける構成では、誤って操作者が消去キーに触れてしまった時にタッチエリア表示を消去させてしまう恐れが生じる。この点から、操作者が誤ってタッチパネルに触れてしまった場合でもタッチエリア表示が消去されない手段を備えることが望まれていた。
【０００９】
本発明は上記従来の問題点に鑑み、操作者が誤ってタッチパネルに触れることで操作表示が一部又は全部消去されることによる操作性の悪化を防ぐことができる情報処理装置を提供することを目的とする。
【００１０】
【課題を解決するための手段】
上記目的を達成するために、本発明では、表示画面と、前記表示画面の表層部に設けられたタッチパネルから成る操作部とを有し、前記操作部における複数の感圧領域のそれぞれに対応した操作情報を前記表示画面に表示する情報処理装置において、前記操作部の特定の感圧領域に所定の時間以上の感圧が行われたか否かを判定する判定手段を有し、前記判定手段の判定結果に応じた処理を行うことを特徴とする。
【００１１】
【発明の実施の形態】
以下、本発明の実施の形態を図面に基づいて説明する。
【００１２】
［第１実施形態］
＜第１実施形態の構成＞
図１は、本発明の第１実施形態に係る情報処理装置（携帯機器）を示す概念図である。
【００１３】
同図において、１１は本体、１２は本体１１に対して開閉自在の蓋体である。本体１１には、タッチパネル（透明入力パネル）で携帯機器１００の操作を行う操作部１３が設けられており、後述の第１の表示手段１２０で表示されている、例えば１３ａのような操作用の画像が観察可能となっている。
【００１４】
蓋体１２には第２の透明カバー１４が設けられており、後述の第２の表示手段１３０で表示されている、例えば１４ａのような観察用の画像が観察可能となっている。
【００１５】
図２は、図１に示した携帯機器１００に具備された表示手段や検知手段を示すブロック図である。
【００１６】
操作者がメインスイッチ２１や操作スイッチ群２２を操作することで、マイコン等２３が、角度抽出手段２４から得られる本体１１と蓋体１２とが成す角度や、画像情報判定手段２５から得られる表示画像情報により導かれる適切な画像を、第１の表示画面２６と第２の表示画面２７に表示する。なお、操作スイッチ群２２は、第１の表示画面２６の表面に光を透過する素材で設ける。
【００１７】
図３は、観察用の画像を後述の第１の表示手段１２０と第２の表示手段１３０の両方で表示する場合における携帯機器１００を示す概念図である。
【００１８】
観察用の画像を２画面表示する場合においては、後述の第１の表示手段１２０で表示されている、例えば１３ｂ及び１４ｂのような操作用の画像が観察可能となっている。
【００１９】
図４（ａ），（ｂ），（ｃ）は、携帯機器１００の外観斜視図であり、同図（ａ）は携帯機器１００を閉じた状態、同図（ｂ）は携帯機器１００を閉じた状態の背面図、同図（ｃ）は携帯機器１００を開いた時の状態を表している。
【００２０】
同図において、携帯機器１００の蓋体１２は、下蓋体１１０及び上蓋体１１１を備え、また本体１１は下本体１１２、上本体１１３及び背面蓋１１４を備えており、上本体１１３には前述の操作部１３が、また上蓋体１１１には前述の第２の透明カバー１４がそれぞれ設けられている。また下蓋体１１０及び上蓋体１１１には蓋体１２の開き角度を検出するためのカム面１１０ａ、１１１ａ（図５参照）がそれぞれ設けられている。
【００２１】
図５は、携帯機器１００の主要分解斜視図である。
【００２２】
同図において、１２０は第１の表示手段であり、その裏側（操作部１３との対向面とは逆の面）には例えば冷陰極管と導電板とで構成されている公知の面発光タイプの照明手段１２１が設けられている。この照明手段１２１によって第１の表示手段１２０が照明され、操作部１３を介して第１の表示手段１２０に表示されている画像が観察可能となる。
【００２３】
１２２は、前述の操作部１３、第１の表示手段１２０及び照明手段１２１の表示や発光を制御する回路等が実装されている第１の基板であり、少なくともその片面には不図示の抵抗やトランジスタ、ＩＣ等の電子部品が実装されて各種回路が構成されている。また第１の表示手段１２０の接続用フレキ１２０ａが接続されるコネクタ１２２ａも実装されている。また、操作部１３の不図示の接続部が第１の基板１２２に接続されている。
【００２４】
１２３は携帯機器１００の蓋体１２を本体１１に対して開閉動作を行うためのヒンジであり、下本体１１２に固定されていると共に、取り付け部１２３ａは蓋体１２と一体化される。取り付け部１２３ａは本体取り付け部１２３ｂに対して回転自由に構成されているので、これにより蓋体１２は本体１１に対して回転自由に取り付けられていることになる。
【００２５】
背面蓋１１４は、ヒンジ１２３が下本体１１２に固定された後に同様に下本体１１２に固定される。また背面蓋１１４の側面１１４ａには蓋体１２の回転角度を検出するための角度検出スイッチ１２４（角度抽出手段２４）が固定されている。１３０は第２表示手段であり、その裏側（第２の透明カバー１４との対向面とは逆の面）には、例えば冷陰極管と導電板とで構成されている公知の面発光タイプの照明手段１３１が設けられている。この照明手段１３１によって第２の表示手段１３０が照明され、第２の透明カバー１４を介して第２の表示手段１３０に表示されている画像が観察可能となる。
【００２６】
１３２は、前述の第２の透明カバー１４、第２の表示手段１３０及び照明手段１３１の表示や発光を制御する回路等が実装されている第２の基板であり、少なくともその片面には不図示の抵抗やトランジスタ、ＩＣ等の電子部品が実装されて各種回路が構成されている。また第２の表示手段１３０の接続用フレキ１３０ａが接続されるコネクタ１３２ａも実装されている。
【００２７】
また、第１の基板１２２と第２の基板１３２とのやり取りを行うための接続用のフレキシブルプリント基板１３３（以下ＦＰＣ１３３と略す）が設けられており、コネクタ１２２ｂとコネクタ１３２ｂとに接続されている。これにより、操作部１３、第１の表示手段１２０、第１の照明手段１２１、第２の透明カバー１４、第２の表示手段１３０、並びに第２の照明手段１３２を関連付けて制御することが可能となる。
【００２８】
＜第１実施形態の動作＞
次に、操作者が誤ってタッチパネルに触れることで操作表示が一部又は全部消去されることによる操作性の悪化を防ぐために、操作部への入力を一部受け付けない誤動作防止設定を、操作部１３における該誤動作防止設定を示す領域に所定時間以上の感圧が行われることにより、作動させる場合の動作について説明する。
【００２９】
図６は、本発明の第１実施形態に係る動作を示すフローチャートである。
【００３０】
まず、タッチパネルから成る操作部１３上の誤動作防止設定を示す所定領域が押下されると、マイコン等２３は、その所定領域が押下され続けた時間を計測する（ステップＳ６１）。
【００３１】
続くステップＳ６２で、上記所定領域の押下され続けた時間が所定の時間以上であると判定された場合は、操作部１３が誤動作防止設定の作動中であるかどうかの判定を行う（ステップＳ６３）。ステップＳ６３で、操作部１３が誤動作防止設定の作動中であると判定された場合は、操作部１３の誤動作防止設定を解除し（ステップＳ６４）、操作用の画像１３ａを第１の表示手段１２０に表示する（ステップＳ６５）。
【００３２】
ステップＳ６２で、もし上記所定領域の押下され続けた時間が所定の時間以上であると判定されなかった場合は、誤作動防止設定の作動を示す操作部１３上の所定領域の押下され続けた時間が所定の時間以上に達するかどうか監視し続けるためステップＳ６１へ戻る。
【００３３】
ステップＳ６３で、もし操作部１３が誤動作防止設定の作動中であると判定されなかった場合は、操作部１３の誤動作防止設定を作動し（ステップＳ６６）、マイコン等２３が、操作用の画像１３ａにおける最低限必要な操作部分以外を消去する（ステップＳ６７）。
【００３４】
以上の動作を実施することにより、操作者が誤ってタッチパネルに触れてしまっても誤動作防止設定が作動することなく、誤動作防止設定による操作表示の消去を防止することができる。
【００３５】
また、上記誤動作防止設定を作動している時にタッチパネルの所定領域又は任意の領域を押圧することで誤動作防止設定を解除してもよい。この場合における装置の動作について、図７に示すフローチャートに従って説明する。
【００３６】
まず、タッチパネルから成る操作部１３上の誤動作防止設定を示す所定領域が押下されると、マイコン等２３は、操作部１３が誤動作防止設定の作動中であるかどうかの判定を行う（ステップＳ７１）。
【００３７】
ステップＳ７１で、操作部１３が誤動作防止設定の作動中であると判定された場合は、操作部１３の誤動作防止設定を解除し（ステップＳ７２）、操作用の画像１３ａを第１の表示手段１２０に表示する（ステップＳ７３）。ステップＳ７１で、もし操作部１３が誤動作防止設定の作動中であると判定されなかった場合は、何の処理も行わない。
【００３８】
以上の動作を実施することにより、操作者が誤ってタッチパネルに触れることで操作表示が一部又は全部消去されることによる操作性の悪化を防ぎつつ、誤動作防止設定の解除の動作はタッチパネルを押圧することで手軽に解除することができる。
【００３９】
次に、メインスイッチ２１又はタッチパネルから成る操作スイッチ群２２より、第２の表示モードを実行させる命令が入力されたときの装置の動作について、図８に示すフローチャートに従って説明する。
【００４０】
まず、メインスイッチ２１のオンにより第１の表示手段１２０に画像が表示されて第２の表示手段１３０に操作用の画像１３ａが表示される。操作部１３などから２画面表示命令の入力がなされると、マイコン等２３が第１の表示手段１２０と第２の表示手段１３０の両方で表示画像が表示される第２の表示モードの状態に今までなっていたか否かを判断する（ステップＳ１１）。
【００４１】
ステップＳ１１で、もし第１の表示手段１２０で全体画像を表示する第１の表示モードに設定されていれば、マイコン等２３が操作用の画像１３ａの最低限必要な操作部分以外を消去し（ステップＳ１２）、その後フローは、詳細を後述するステップＳ１３からステップＳ１８までの処理を経て、ステップＳ１９に進む。ステップＳ１９では、表示画像を第１の表示手段１２０と第２の表示手段１３０の２画面に振り分けて表示する。
【００４２】
ステップＳ１１で、もし既に第２の表示モードに設定されていれば、ステップＳ１９に進み、マイコン等２３が表示画像を第１の表示手段１２０と第２の表示手段１３０の２画面に振り分けて表示する。
【００４３】
以上の動作を実施することで、表示画面が大きくなり、見やすく表示品位を向上させることができる。
【００４４】
［第２実施形態］
本実施形態では、蓋体１２の開き角度を検出し、これを利用した処理について説明する。
【００４５】
図９（ａ），（ｂ）は、背面蓋１１４の側面付近の部分拡大図であり、同図（ａ）は、蓋体１２が閉じている時（図４（ａ）及び（ｂ）の状態）のカム面１１０ａ、１１１ａ及び角度検出スイッチ１２４との関係を示している。
【００４６】
同図に示すように、角度検出スイッチ１２４がカム面１１０ａと当接していないので、角度検出スイッチ１２４は「スイッチオフ」の状態となっている。一方、蓋体１２が本体１１に対して開いた時（図５（ｃ）の状態）は、図９（ｂ）に示した状態となる。つまり、蓋体１２の開き動作に伴いカム面１１０ａもしくは１１１ａが角度検出スイッチ１２４のスイッチ部１２４ａと当接して角度検出スイッチ１２４のスイッチ部１２４ａを押し込んでいくと、角度検出スイッチ１２４は「スイッチオン」の状態となるので、これにより、蓋体１２が所定の開き角度まで開いたことが検出可能になる。
【００４７】
なお、カム面１１０ａ、１１１ａの形状を適宜変更することによって角度検出スイッチ１２４が「スイッチオン」の状態となる開き角度を任意に設定することが可能である。
【００４８】
次に、上述した開き角度検出スイッチをさらにもう１つ追加する構成について、図１０（ａ），（ｂ）を用いて説明する。図１０（ａ），（ｂ）は、背面蓋１１４の側面付近の他の部分拡大図である。
【００４９】
図１０に示すように、背面蓋１１４の側面１１４ｂには第２の角度検出スイッチ１２５（角度抽出手段２４）が固定されている。また上蓋体１１にはカム面１１１ｂがカム面１１１ａとは異なる端面に設けられており、この結果、以下に説明するように角度検出スイッチ１２４が「スイッチオン」になる前に蓋体１２の開き角度を検出することが可能である。
【００５０】
図１０（ａ）は、蓋体１２が閉じている時（図４（ａ）及び（ｂ）の状態）のカム面１１１ｂ及び角度検出スイッチ１２５との関係を示し、同図（ａ）に示したように、角度検出スイッチ１２５のスイッチ部１２５ａがカム面１１１ｂと当接していないので、角度検出スイッチ１２４は「スイッチオフ」の状態となっている。
【００５１】
一方、蓋体１２が本体１１に対して少し開いたときは図１０（ｂ）に示した状態となる。つまり、蓋体１２の開き動作に伴いカム面１１１ａが角度検出スイッチ１２５のスイッチ部１２５ａと当接してスイッチ部１２５ａを押し込んでいくと、角度検出スイッチ１２５は「スイッチオン」の状態となるので、これにより、蓋体１２が所定の開き角度まで開いたことが検出可能になる。
【００５２】
なお、カム面１１１ｂの形状を適宜変更することによって角度検出スイッチ１２５が「スイッチオン」の状態となる開き角度を任意に設定することが可能である。
【００５３】
次に、本体１１と蓋体１２との成す折り畳み角度を変化させることにより第２の表示モードを実行させる命令が入力されたときの装置の動作について、図１１に示すフローチャートに従って説明する。
【００５４】
図１１は、第２実施形態に係る蓋体１２の折り畳み角度の変化を検知したときの動作を示すフローチャートである。
【００５５】
同図において、本体１１と蓋体１２との成す折り畳み角度の変化を角度検出スイッチ１２４又は角度検出スイッチ１２５が検知すると、マイコン等２３により表示モードを変更する折り畳み角度か否かの判定を行う（ステップＳ２１）。ステップＳ２１で、もし第２の表示モードに切り替える折り畳み角度であると判定された場合は、マイコン等２３が上記第１の表示モードの状態に今までなっていたか否かの判定を行う（ステップＳ２２）。
【００５６】
ステップＳ２２で、マイコン等２３によって上記第１の表示モードと判定された場合は、上記第２の表示モードに切り替えるため、マイコン等２３が操作用の画像１３ａを消去し（ステップＳ２３）、その後フローは、詳細を後述するステップＳ２４からステップＳ２９までの処理を経て、表示画像を第１の表示手段１２０と第２の表示手段１３０の２画面に振り分けて表示する（ステップＳ３０）。
【００５７】
また、ステップＳ２１で、マイコン等２３が上記第１の表示モードにする角度と判定した場合は、表示モードの状態が第２の表示モード状態に今までなっていたか否かを判定し、第２の表示モード状態であったと判定された場合は第１の表示モードに切り替えるため、マイコン等２３が操作用の画像１３ａを全て表示させ（ステップＳ３２）、その後フローは、詳細を後述するステップＳ３３、ステップＳ３４の処理を経て、観賞用等の表示画像を第２の表示手段１３０のみに表示する（ステップＳ３４）。
【００５８】
ステップＳ２１で上記第２の表示モードにする角度と判定し、且つステップＳ２２で上記第２の表示モード状態と判定された場合は、モードを切り替える必要がないので一連の動作を終了させる。同様に、ステップＳ２１で上記第１の表示モードと判定し、且つステップＳ３１で上記第１の表示モードと判定された場合も、モードを切り替える必要がないので一連の動作を終了させる。
【００５９】
＜第２実施形態の変形例＞
角度検出スイッチ１２５を単純なＯＮ／ＯＦＦスイッチではなく、例えばエンコーダのように回転角度の絶対値が分かるようなスイッチにしても同様な効果が得られ、その場合は第１の表示モードと第２の表示モードの変更角度をユーザーが任意に設定できるメリットも生まれる。
【００６０】
また、図８のステップＳ１３，ステップＳ１４、及び図１１のステップＳ２４，ステップＳ２５にあるように、図２の画像情報判定手段２５を用いて観賞用等の画像の寸法を認識し（ステップＳ１３，ステップＳ２４）、観賞用等の表示画面の表示方向を変更する（ステップＳ１４，ステップＳ２５）という動作を追加すると、例えば、図４（ｃ）にある第１の表示手段１２０及び第２の表示手段１３０のように、画面の短手方向に表示画面が繋がれている装置構成では、第２の表示モードで壁紙等を表示するときに、第１の表示手段１２０と第２の表示手段１３０の２画面連続表示の長手方向と画像の長手方向とを一致させることができる。
【００６１】
このように表示画面を最大限利用して視認性の向上した表示を行うことができる。
【００６２】
また、第１の表示手段１２０と第２の表示手段１３０の２画面に連続した画像を表示させる場合にヒンジ１２３に相当する表示画像の領域を欠損させてもよい。この場合における装置の動作について図８、図１１に示すフローチャートに従って説明する。
【００６３】
ステップＳ１４，ステップＳ２５に続いて第１の表示手段１２０と第２の表示手段１３０の２画面に連続した画像を表示させる場合に、ヒンジ１２３に相当する表示画像の領域が存在するか否かを判定する（ステップＳ１５，ステップＳ２６）。
【００６４】
ステップＳ１５，ステップＳ２６では、ヒンジ１２３に相当する表示画像の領域が存在すると判定された場合に、ヒンジ１２３の所定幅だけ表示画像の対応領域を欠損させて（ステップＳ１８，ステップＳ２９）、
ステップＳ１９，ステップＳ３０では、表示画像を第１の表示手段１２０と第２の表示手段１３０の２画面に振り分けて表示する。ステップＳ１５，ステップＳ２６では、ヒンジ１２３に相当する表示画像の領域が存在すると判定されなかった場合は、ステップＳ１９，ステップＳ３０へ進む。
【００６５】
以上の動作を追加すると、第１の表示手段１２０と第２の表示手段１３０との２画面に渡る画像を意識化で連続的に見せることができる。
【００６６】
さらに上記の動作に係り、欠損させる画像領域に文字や主要な画像（以後、重要情報と略す）がある場合は重要な画像部分だけ欠損させるか否かを判定してもよい。この場合における装置の動作について図８、図１１に示すフローチャートに従って説明する。
【００６７】
ステップＳ１５，ステップＳ２６に続いて、表示画像で欠損させる画像情報内に重要情報が存在するか否か判定し（ステップＳ１６，ステップＳ２７）、重要情報が存在すると判定された場合は、重要情報の存在する画像領域だけ欠損させずに第１の表示手段１２０又は第２の表示手段１３０に表示画像位置をずらして（ステップＳ１７，ステップＳ２８）、ステップＳ１８，ステップＳ２９へ進む。
【００６８】
以上の動作を追加すると、表示画像内の重要情報の欠損を無くして画像から得られる情報の伝達漏れを防ぐことができる。
【００６９】
また、装置が上記第２の表示モードの状態で、且つタッチパネルより成る操作部１３に何らかの入力があった場合は、第２の表示モードから第１の表示モードに切り替えてもよい。この場合における装置の動作について図１２に示すフローチャートに従って説明する。
【００７０】
装置が上記第２の表示モードの状態で、且つタッチパネルが押下された等のように操作部１３に何らかの入力があった場合に、マイコン等２３が第１の表示手段１２０に表示されている観賞用等の表示画像の位置と操作用の画像１３ａの領域との位置が重なっていないか判定する（ステップＳ４１）。
【００７１】
ステップＳ４１で、もし観賞用等の表示画像の位置と操作用の画像１３ａの領域との位置が重なっていると判定されれば、画像情報判定手段２５で観賞用等の表示画像の寸法を認識し（ステップＳ４２）、観賞用等の表示画面の表示方向を変更して（ステップＳ４３）、表示画像全体が第２の表示手段１３０に表示できるように表示画像の拡大比率を調節して（ステップＳ４４）、第２の表示手段１３０に表示画像を表示し（ステップＳ４５）、さらに操作用の画像１３ａを第１の表示手段１２０に表示する（ステップＳ４５）。
【００７２】
ステップＳ４１では、もし観賞用等の表示画像の位置と操作用の画像１３ａの領域との位置が重なっていないと判定されなければ、ステップＳ４６に進む。
【００７３】
以上の動作を追加すると、とっさに携帯電話の操作を行いたい時（例えば電話の受信時など）に軽快に操作部を表示できると共に表示範囲に応じた画像表示ができる。
【００７４】
また、本実施形態の装置に、不図示の電源と不図示の電源状態検出手段を設けて、電源容量が所定の閾値より少なくなった場合に第２の表示手段の表示をＯＦＦにしてもよい。この場合における装置の動作について図１３に示すフローチャートに従って説明する。
【００７５】
まず、不図示の電源状態検出手段により電源容量の変化を検知すると、不図示の電源における電源容量が所定の閾値より少ないか否かを判定する（ステップＳ５１）。
【００７６】
ステップＳ５１では、もし電源容量が所定の閾値より少ないと判定された場合は、第２の表示手段１３０の表示をＯＦＦにして（ステップＳ５２）、マイコン等２３が操作用の画像１３ａを消去し（ステップＳ５３）、第１の表示手段１２０に観賞用等の表示画像を表示する（ステップＳ５４）。
【００７７】
ステップＳ５１では、もし電源容量が所定の閾値より少ないと判定されなかった場合は、一連の動作を終了する。
【００７８】
以上の動作を追加すると、本実施形態の装置に、不図示の電源と不図示の電源状態検出手段を設けることで、電源寿命を延ばし電源が低下しても最低限の操作を行うことができる。なお、消去するものを第１の表示手段１２０の表示画像としてもよい。
【００７９】
また、本実施形態の装置に、操作部１３への入力を受け付けない不図示の誤動作防止設定を設けて、不図示の誤動作防止設定の作動時は第１の表示手段１２０に表示された操作用の画像１３ａを消去してもよい。この場合における装置の動作について図１４に示すフローチャートに従って説明する。
【００８０】
まず、不図示の誤動作防止設定が作動されると、マイコン等２３が操作用の画像１３ａを消去し（ステップＳ１８１）、第１の表示手段１２０と第２の表示手段１３０の２画面で観賞用等の表示画像を表示する（ステップＳ１８２）。
【００８１】
以上の動作を追加すると、本実施形態の装置に、不図示の誤動作防止設定を設けることで、誤動作防止設定作動時に操作表示が消えて視覚的に誤動作防止を認知することができ、なおかつ２画面を用いて壁紙表示等を行い、見た目にも美しくすることができる。
【００８２】
［第３実施形態］
上記第１及び第２実施形態では、表示モードの切り替え時に観賞用等の表示画面の表示方向を変更していたが、これに限らず、以下のように表示モードの切り替え時に画面の最適な表示方向の判定を実行した場合について説明する。
【００８３】
図１５〜図１８は、本発明の第３実施形態に係る動作を示すフローチャートである。なお、本実施形態の表示構成や検知構成は上記の第１及び第２実施形態と同様であるものとする。
【００８４】
図１５は、第１の表示モード時に折り畳み角度によって第１の表示モードに準じた画面表示にするか第２の表示モードに準じた画面表示にするかを切り替える動作を示すフローチャートである。
【００８５】
同図において、マイコン等２３で本体１１と蓋体１２との折り畳み角度の変化を角度検出スイッチ１２４又は角度検出スイッチ１２５により検知された場合、マイコン等２３で画像の表示モードの判定を行う（ステップ８１）。ステップＳ８１で、もし第２の表示モードと判定されなかった場合は、マイコン等２３により表示モードを変更する折り畳み角度か否かの判定を行う（ステップＳ８２）。
【００８６】
ステップＳ８２で、もし第２の表示モードに切り替える折り畳み角度であると判定された場合は、上記第２の表示モードに準じて画面が表示されているか否かの判定を行う（ステップＳ８３）。ステップＳ８３で、もし上記第２の表示モードに準じて画面が表示されていない場合は、マイコン等２３が操作用の画像１３ａを消去し（ステップＳ８４）、第１の表示手段１２０と第２の表示手段１３０の２画面に適した表示画面の方向を判定する（ステップＳ８５）。
【００８７】
ステップＳ８５で、もし縦方向が上記２画面に適した表示方向と判定された場合は、表示画像を縦方向に表示すると判定し（ステップＳ８６）、観賞用等の表示画像を第１の表示手段１２０と第２の表示手段１３０との２画面に振り分けて画像を表示する（ステップＳ８７）。ステップＳ８５で、もし横方向が上記第２の表示モードに適した表示方向と判定された場合は、表示画像を横方向に表示すると判定し（ステップＳ８８）、ステップＳ８７へ進む。ステップＳ８２で、もし第２の表示モードに切り替える折り畳み角度ではないと判定された場合は、上記第１の表示モードに準じて画面が表示されているか否かの判定を行う（ステップＳ８９）。
【００８８】
ステップＳ８９で、もし上記第１の表示モードに準じて画面が表示されていない場合は、マイコン等２３が操作用の画像１３ａを全て表示させ（ステップＳ９０）、第１の表示手段１２０と第２の表示手段１３０の２画面に適した表示画面の方向を判定する（ステップＳ９１）。
【００８９】
ステップＳ９１で、もし縦方向が上記第１の表示モードに適した表示方向と判定された場合は、表示画像を縦方向に表示すると判定し（ステップＳ９２）、表示画像を第２の表示手段１３０に表示する（ステップＳ９３）。ステップＳ９１で、もし横方向が上記第１の表示モードに適した表示方向と判定された場合は、表示画像を横方向に表示すると判定する（ステップＳ９４）。
【００９０】
ステップＳ８１で、もし上記第２の表示モードと判定された場合は、画面表示を切り替えないので一連の動作を終了する。ステップＳ８３で、もし上記第２の表示モードに準じて画面が表示されている場合は何も動作させる必要がないので一連の動作を終了する。ステップＳ８９で、もし上記第１の表示モードに準じて画面が表示されている場合は何も動作させる必要がないので一連の動作を終了する。
【００９１】
以上の動作を実施することにより、簡単に画面表示モードの切り替えが行えると共に意識に忠実な画面切り替えを行うことができる。
【００９２】
＜第３実施形態の変形例＞
角度検出スイッチ１２５を単純なＯＮ／ＯＦＦスイッチではなく、例えばエンコーダのように回転角度の絶対値が分かるようなスイッチにしても同様な効果が得られる。
【００９３】
さらに、ステップＳ８４に係る操作用の画像１３ａを消去する動作を、全ての画像表示を消去するのではなく操作用の画像１３ｂのように一部だけ消去してもよい。
【００９４】
また、上記第２の表示モードに切り替える時に表示画像の縦横比を変更してもよい。この場合における装置の動作について図１６に示すフローチャートに従って説明する。
【００９５】
まず、上記第２の表示モードに切り替える命令がなされた場合、マイコン等２３で第２の表示モードか否か判定する（ステップＳ１０１）。ステップＳ１０１で、もし第１の表示モードと判定された場合は、マイコン等２３で操作用の画像１３ａを消去して（ステップＳ１０２）、観賞用等の表示画像の寸法を認識し（ステップＳ１０３）、画像情報判定手段２５及びマイコン等２３で第１の表示手段１２０と第２の表示手段１３０の２画面に表示画像が収まるように表示画像の縦横比を変更し、第１の表示手段１２０と第２の表示手段１３０の２画面に適した表示画面の方向を判定する（ステップＳ１０４）。
【００９６】
ステップＳ１０４で、もし縦方向が上記第２の表示モードに適した表示方向と判定された場合は、表示画像を縦方向に表示すると判定し（ステップＳ１０６）、ステップＳ１０７へ進む。ステップＳ１０７で、マイコン等２３が表示画像を上記２画面に振り分けて表示する。
【００９７】
ステップＳ１０４で、もし横方向が上記２画面に適した表示方向と判定された場合は、表示画像を横方向に表示すると判定し（ステップＳ１０５）、ステップＳ１０７へ進む。ステップＳ１０１で、もし第１の表示モードと判定されなかった場合は、表示モードが既に第２の表示モードになっているので一連の動作を終了する。
【００９８】
以上の動作を追加すると、第１の表示手段１２０と第２の表示手段１３０の２画面とで画像を連続して表示する場合に、表示画面を最大限利用した表示品位の高い表示を行うことができる。
【００９９】
さらに上記の動作に係り、第１の表示手段１２０と第２の表示手段１３０の２画面に連続した画像を表示させる場合にヒンジ１２３に相当する表示画像の領域を欠損させてもよい。この場合における装置の動作について図１６に示すフローチャートに従って説明する。
【０１００】
ステップＳ１０５又はＳ１０６に続いて、第１の表示手段１２０と第２の表示手段１３０の２画面に連続した画像を表示させる場合に、ヒンジ１２３に相当する表示画像の領域が存在するか否かを判定する（ステップＳ１０８）。ステップＳ１０８で、ヒンジ１２３に相当する表示画像の領域が存在すると判定された場合は、ヒンジ１２３の所定幅だけ表示画像の対応領域を欠損させて（ステップＳ１０９）、ステップＳ１０７で、表示画像を第１の表示手段１２０と第２の表示手段１３０の２画面に振り分けて表示する。ステップＳ１０８で、ヒンジ１２３に相当する表示画像の領域が存在すると判定されなかった場合は、ステップＳ１０７へ進む。
【０１０１】
以上の動作を追加すると、第１の表示手段１２０と第２の表示手段１３０との２画面に渡る画像を意識化で連続的に見せることができる。
【０１０２】
さらに上記の動作に係り、欠損させる画像領域の重要さの度合いによって欠損させるか否かを判定してもよい。上記の場合における装置の動作について図１６に示すフローチャートに従って説明する。
【０１０３】
ステップＳ１０８に続いて、表示画像で欠損させる画像情報内に重要情報が存在するか否か判定し（ステップＳ１１０）、ステップＳ１１０で、重要情報が存在すると判定された場合は、重要情報の存在する画像領域を欠損させないように表示画像のサイズや縦横比を変更して（ステップＳ１１１）、ヒンジ１２３の所定幅だけ表示画像の対応領域を欠損させて（ステップＳ１０９）、表示画像を第１の表示手段１２０と第２の表示手段１３０の２画面に振り分けて表示する（ステップＳ１０７）。
【０１０４】
ステップＳ１１０で、重要情報が存在すると判定されなかった場合は、ステップＳ１０９へ進む。
【０１０５】
以上の動作を追加すると、表示画像内の重要情報の欠損を無くして画像から得られる情報の伝達漏れを防ぐことができる。
【０１０６】
また、装置が上記第２の表示モードの状態で、且つタッチパネルより成る操作部１３に何らかの入力があった場合は、第２の表示モードから第１の表示モードに切り替えてもよい。この場合における装置の動作について図１７に示すフローチャートに従って説明する。
【０１０７】
図１７は、装置が上記第２の表示モードの状態で、且つタッチパネルより成る操作部１３に何らかの入力があった場合に第２の表示モードから第１の表示モードに切り替える動作を示すフローチャートである。
【０１０８】
装置が上記第２の表示モードの状態で、且つタッチパネルが押下された等のように操作部１３に何らかの入力があった場合に、マイコン等２３が第１の表示手段に表示されている観賞用等の表示画像の位置と操作用の画像１３ａの領域との位置が重なっていないか判定する（ステップＳ１９１）。
【０１０９】
ステップＳ１９１で、もし観賞用等の表示画像の位置と操作用の画像１３ａの領域との位置が重なっていると判定されれば、画像情報判定手段２５で表示画像の寸法又は縦横比から第１の表示モードにおける最適な画面表示方向を判定する（ステップＳ１９２）。
【０１１０】
ステップＳ１９２で、もし縦方向が上記表示モードに適した表示方向と判定された場合は、表示画像を縦方向に表示すると判定し（ステップＳ１９３）、ステップＳ１９４へ進む。ステップＳ１９４で、画像情報判定手段２５及びマイコン等２３で第２の表示画面に表示画像が収まるように表示画像の縦横比を変更し、第２の表示手段１３０に表示画像を表示して（ステップＳ１９５）、操作用の画像１３ａを第１の表示手段１２０に表示する（ステップＳ１９６）。
【０１１１】
ステップＳ１９２で、もし縦横方向が上記表示モードに適した表示方向と判定された場合は、表示画像を横方向に表示すると判定し（ステップＳ１９７）、ステップＳ１９４へ進む。ステップＳ１９１で、もし観賞用等の表示画像の位置と操作用の画像１３ａの領域との位置が重なっていると判定されなければ、ステップＳ１９６に進む。
【０１１２】
以上の動作を追加すると、とっさに携帯電話の操作を行いたい時（例えば電話の受信時など）に軽快に操作部を表示できると共に表示範囲に応じた画像表示ができる。
【０１１３】
［第４実施形態］
上記第３実施形態では、ヒンジ１２３に相当する表示画像領域を欠損させる時に画像の重要情報が含まれていれば、画像の縦横比を変更して画像の重要情報が欠損部に位置しないようにしていたが、これに限らず、以下のようにヒンジ１２３に相当する表示画像領域を欠損させる時に画像の重要情報が含まれていれば表示画像全体を第２の表示手段１３０に移して表示した場合について説明する。
【０１１４】
図１８は、本発明の第４実施形態に係る動作を示すフローチャートである。
【０１１５】
なお、実施形態の表示構成や検知構成は上記の第１及び第２実施形態と同様であるものとする。
【０１１６】
まず、メインスイッチ２１やタッチパネルより成る操作スイッチ群２２から第２の表示モードを実行させる命令が入力されたとき、マイコン等２３により第２の表示モードの状態か否かを判定する（ステップＳ１２１）。ステップＳ１２１で、第２の表示モードの状態であると判定された場合は、マイコン等２３が操作用の画像１３ａを消去して（ステップＳ１２２）、観賞用等の表示画像の寸法を認識し（ステップＳ１２３）、画像情報判定手段２５及びマイコン等２３で第１の表示手段１２０と第２の表示手段１３０の２画面に表示画像が収まるように表示画像の縦横比を変更し（ステップＳ１２４）、第１の表示手段１２０と第２の表示手段１３０の２画面に連続した画像を表示させる場合にヒンジ１２３に相当する表示画像の領域が存在するか否かを判定する（ステップＳ１２５）。
【０１１７】
ステップＳ１２５で、ヒンジ１２３に相当する表示画像の領域が存在すると判定された場合は、表示画像で欠損させる画像情報内に重要情報が存在するか否か判定し（ステップＳ１２６）、ステップＳ１２６で、重要情報が存在すると判定された場合は、表示画像全体を第２の表示手段１３０に移して（ステップＳ１２７）、ヒンジ１２３の所定幅だけ表示画像の対応領域を欠損させて（ステップＳ１２８）、表示画像を第１の表示手段１２０と第２の表示手段１３０の２画面に振り分けて表示する（ステップＳ１２９）。ステップＳ１２９で、重要情報が存在すると判定されなかった場合は、ステップＳ１２８へ進む。
【０１１８】
以上の動作を実施することで、表示画像中の重要情報の欠損を無くして情報の伝達漏れを防ぐことができる。
【０１１９】
［第５実施形態］
上記実施の第４実施形態では、ヒンジ１２３に相当する表示画像領域を欠損させる時に画像の重要情報が含まれていれば表示画像全体を第２の表示手段１３０に移して表示していたが、これに限らず、以下のようにヒンジ１２３に相当する表示画像領域を欠損させる時に画像の重要情報が含まれていれば画像の重要情報が欠損部に位置しないように表示画像全体を第１の表示手段１２０と第２の表示手段１３０の２画面内で移動させて表示した場合について説明する。
【０１２０】
図１９は、本発明の第５実施形態に係る動作を示すフローチャートである。
【０１２１】
なお、本実施形態の表示構成や検知構成は上記の第１及び第２実施形態と同様であるものとする。
【０１２２】
同図において、メインスイッチ２１やタッチパネルから成る操作スイッチ群２２より第２の表示モードを実行させる命令が入力されたとき、マイコン等２３により第２の表示モードの状態か否かを判定する（ステップＳ１３１）。ステップＳ１３１で、第２の表示モードの状態であると判定された場合は、マイコン等２３が操作用の画像１３ａを消去して（ステップＳ１３２）、観賞用等の表示画像の寸法を認識し（ステップＳ１３３）、第１の表示手段１２０と第２の表示手段１３０の２画面に連続した画像を表示させる場合にヒンジ１２３に相当する表示画像の領域が存在するか否かを判定する（ステップＳ１３４）。
【０１２３】
ステップＳ１３４で、ヒンジ１２３に相当する表示画像の領域が存在すると判定された場合は、表示画像で欠損させる画像情報内に重要情報が存在するか否か判定し（ステップＳ１３５）、ステップＳ１３５で、重要情報が存在すると判定された場合は、画像の重要情報が欠損部に位置しないように表示画像全体を第１の表示手段１２０と第２の表示手段１３０の２画面内で移動させて（ステップＳ１３６）、ヒンジ１２３の所定幅だけ表示画像の対応領域を欠損させて（ステップＳ１３７）、表示画像を第１の表示手段１２０と第２の表示手段１３０の２画面に振り分けて表示する（ステップＳ１３８）。ステップＳ１３５で、重要情報が存在すると判定されなかった場合は、ステップＳ１３７へ進む。
【０１２４】
以上の動作を実施することで、表示画像中の重要情報の欠損を無くして情報の伝達漏れを防ぐことができる。
【０１２５】
［第６実施形態］
次に、本体１１と蓋体１２との成す折り畳み角度が狭くなったときに第１の表示手段１２０又は第２の表示手段１３０の表示光が他方の表示面に当たり、他方の表示が見えにくくなる状態を緩和する動作について説明する。
【０１２６】
図２０は、本発明の第６実施形態に係る動作を示すフローチャートである。なお、本実施形態の表示構成や検知構成は、上記の第１及び第２実施形態と同様であるものとする。
【０１２７】
まず、マイコン等２３が本体１１と蓋体１２との成す折り畳み角度の変化を角度検出スイッチ１２４により検知した場合、第１の表示手段１２０又は第２の表示手段１３０の表示光が他方の表示面を照らしてしまう角度かどうかの判定を角度検出スイッチ１２４で行う（ステップＳ１４１）。
【０１２８】
ステップＳ１４１で、第１の表示手段１２０又は第２の表示手段１３０の表示光が他方の表示面を照らしてしまう角度であると判定された場合は、第１の表示手段に具備する照明手段１２１又は第２の表示手段１３０に具備する照明手段１３１を所定の暗さにする（ステップＳ１４２）。
【０１２９】
ステップＳ１４１で、第１の表示手段１２０又は第２の表示手段１３０の表示光が他方の表示面を照らしてしまう角度であると判定されなかった場合は、一連の動作を終了する。
【０１３０】
以上の動作を実施することで、２つの表示画面が互いに視認性への悪影響を緩和することができる。
【０１３１】
また、上記動作のステップＳ１４２で、第２の表示手段に具備する照明手段１３１を暗くしていたが、これに限らず、以下のように本体１１と蓋体１２との成す折り畳み角度に応じて第１の表示手段１２０に具備する照明手段１２１又は第２の表示手段１３０に具備する照明手段１３１を暗くしてもよい。この場合における装置の動作について図２１に示すフローチャートに従って説明する。
【０１３２】
まずマイコン等２３が本体１１と蓋体１２との成す折り畳み角度の変化を角度検出スイッチ１２４により検知した場合、第１の表示手段１２０又は第２の表示手段１３０の表示光が他方の表示面を照らしてしまう角度かどうかの判定を角度検出スイッチ１２４で行う（ステップＳ１５１）。
【０１３３】
ステップＳ１５１で、第１の表示手段１２０又は第２の表示手段１３０の表示光が他方の表示面を照らしてしまう角度であると判定された場合は、第１の表示手段１２０に具備する照明手段１２１又は第２の表示手段１３０に具備する照明手段１３１を折り畳み角度に応じた所定の光量にする（ステップＳ１５２）。
【０１３４】
ステップＳ１５１で、第１の表示手段１２０又は第２の表示手段１３０の表示光が他方の表示面を照らしてしまう角度であると判定されなかった場合は、一連の動作を終了する。
【０１３５】
以上の動作を実施することで、２つの表示画面が互いに視認性への悪影響を緩和することができる。
【０１３６】
なお、上述した図６、図７、図８、図１１〜図２１のフローチャートに従ったプログラムをマイコン２３内の記憶装置に格納し動作することにより、上述の各実施形態の制御方法を実現させることが可能となる。
【０１３７】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【０１３８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【０１３９】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【０１４０】
［実施態様］
本発明の実施態様の例を以下に列挙する。
【０１４１】
＜実施態様１＞  表示画面と、前記表示画面の表層部に設けられたタッチパネルから成る操作部とを有し、前記操作部における複数の感圧領域のそれぞれに対応した操作情報を前記表示画面に表示する情報処理装置において、前記操作部の特定の感圧領域に所定の時間以上の感圧が行われたか否かを判定する判定手段を有し、前記判定手段の判定結果に応じた処理を行うことを特徴とする情報処理装置。
【０１４２】
＜実施態様２＞  表示画面と、前記表示画面の表層部に設けられたタッチパネルから成る操作部とを有し、前記操作部における複数の感圧領域のそれぞれに対応した操作情報を前記表示画面に表示する情報処理装置において、前記操作部の所定領域に所定の時間以上の感圧が行われることにより作動して前記操作部への入力を一部受け付けない誤動作防止設定を行う誤動作防止設定手段と、前記誤動作防止設定手段が作動された時には、前記表示画面に表示された操作情報の一部又は全部を消去する操作表示制御手段とを有することを特徴とする情報処理装置。
【０１４３】
＜実施態様３＞  前記誤動作防止設定が行われている時は、前記操作部の所定領域に所定の時間以上の押圧が行われることにより前記誤動作防止設定を解除することを特徴とする実施態様２記載の情報処理装置。
【０１４４】
＜実施態様４＞  前記誤動作防止設定が行われている時は、前記操作部の所定領域に押圧が行われることにより前記誤動作防止設定を解除することを特徴とする実施態様２記載の情報処理装置。
【０１４５】
＜実施態様５＞  折り畳み対向面の各々に設けられた第１と第２の表示画面と、前記第１の表示画面の表層部に設けられたタッチパネルから成る操作部とを有し、前記操作部における複数の感圧領域のそれぞれに対応した操作情報を前記表示画面に表示する携帯機器において、前記操作部の所定領域に所定の時間以上の感圧が行われることにより作動して前記操作部への入力を一部受け付けない誤動作防止設定を行う誤動作防止設定手段と、前記誤動作防止設定手段が作動された時には、前記表示画面に表示された操作情報の一部又は全部を消去する操作表示制御手段とを有することを特徴とする携帯機器。
【０１４６】
＜実施態様６＞  前記誤動作防止設定が行われた時は、前記第１の表示画面と前記第２の表示画面に像情報を表示することを特徴とする実施態様５記載の携帯機器。
【０１４７】
＜実施態様７＞  前記誤動作防止設定が行われた時は、前記第１の表示画面と第２の表示画面に渡り１つの像情報を表示することを特徴とする実施態様６記載の携帯機器。
【０１４８】
＜実施態様８＞  前記誤動作防止設定が行われた時は、前記第１の表示画面と前記第２の表示画面に各々に異なる像情報を表示することを特徴とする実施態様６記載の携帯機器。
【０１４９】
＜実施態様９＞  前記誤動作防止設定が行われている時は、前記操作部の所定領域に所定の時間以上の押圧が行われることにより前記誤動作防止設定を解除することを特徴とする実施態様５乃至８記載の携帯機器。
【０１５０】
＜実施態様１０＞  前記誤動作防止設定が行われている時は、前記操作部の所定領域に押圧が行われることにより前記誤動作防止設定を解除することを特徴とする実施態様５乃至８記載の携帯機器。
【０１５１】
＜実施態様１１＞  表示画面と、前記表示画面の表層部に設けられたタッチパネルから成る操作部とを有し、前記操作部における複数の感圧領域のそれぞれに対応した操作情報を前記表示画面に表示する情報処理装置の制御方法において、前記操作部の特定の感圧領域に所定の時間以上の感圧が行われたか否かを判定する判定工程を実行し、前記判定工程の判定結果に応じた処理を行うことを特徴とする情報処理装置の制御方法。
【０１５２】
＜実施態様１２＞  表示画面と、前記表示画面の表層部に設けられたタッチパネルから成る操作部とを有し、前記操作部における複数の感圧領域のそれぞれに対応した操作情報を前記表示画面に表示する情報処理装置の制御方法において、前記操作部の所定領域に所定の時間以上の感圧が行われることにより作動して前記操作部への入力を一部受け付けない誤動作防止設定を行う誤動作防止設定工程と、前記誤動作防止設定工程が実行された時には、前記表示画面に表示された操作情報の一部又は全部を消去する操作表示制御工程とを有することを特徴とする情報処理装置の制御方法。
【０１５３】
＜実施態様１３＞  折り畳み対向面の各々に設けられた第１と第２の表示画面と、前記第１の表示画面の表層部に設けられたタッチパネルから成る操作部とを有し、前記操作部における複数の感圧領域のそれぞれに対応した操作情報を前記表示画面に表示する携帯機器の制御方法において、前記操作部の所定領域に所定の時間以上の感圧が行われることにより作動して前記操作部への入力を一部受け付けない誤動作防止設定を行う誤動作防止設定工程と、前記誤動作防止設定工程が作動された時には、前記表示画面に表示された操作情報の一部又は全部を消去する操作表示制御工程とを有することを特徴とする携帯機器の制御方法。
【０１５４】
＜実施態様１４＞  表示画面と、前記表示画面の表層部に設けられたタッチパネルから成る操作部とを有し、前記操作部における複数の感圧領域のそれぞれに対応した操作情報を前記表示画面に表示する情報処理装置の制御方法を実行するための制御プログラムであって、前記操作部の特定の感圧領域に所定の時間以上の感圧が行われたか否かを判定する判定ステップと、前記判定ステップの判定結果に応じた処理を行うステップとを備えたことを特徴とする制御プログラム。
【０１５５】
＜実施態様１５＞  表示画面と、前記表示画面の表層部に設けられたタッチパネルから成る操作部とを有し、前記操作部における複数の感圧領域のそれぞれに対応した操作情報を前記表示画面に表示する情報処理装置の制御方法を実行するための制御プログラムであって、前記操作部の所定領域に所定の時間以上の感圧が行われることにより作動して前記操作部への入力を一部受け付けない誤動作防止設定を行う誤動作防止設定ステップと、前記誤動作防止設定ステップが実行された時には、前記表示画面に表示された操作情報の一部又は全部を消去する操作表示制御ステップとを有することを特徴とする制御プログラム。
【０１５６】
＜実施態様１６＞  折り畳み対向面の各々に設けられた第１と第２の表示画面と、前記第１の表示画面の表層部に設けられたタッチパネルから成る操作部とを有し、前記操作部における複数の感圧領域のそれぞれに対応した操作情報を前記表示画面に表示する携帯機器の制御方法を実行するための制御プログラムであって、前記操作部の所定領域に所定の時間以上の感圧が行われることにより作動して前記操作部への入力を一部受け付けない誤動作防止設定を行う誤動作防止設定ステップと、前記誤動作防止設定ステップが作動された時には、前記表示画面に表示された操作情報の一部又は全部を消去する操作表示制御ステップとを有することを特徴とする制御プログラム。
【０１５７】
【発明の効果】
以上詳細に説明したように本発明によれば、操作者が誤ってタッチパネルに触れることで操作表示が一部又は全部消去されることによる操作性の悪化を防ぐことができる。
【図面の簡単な説明】
【図１】本発明の第１実施形態に係る情報処理装置（携帯機器）を示す概念図である。
【図２】図１に示した携帯機器に具備された表示手段や検知手段を示すブロック図である。
【図３】観察用の画像を第１と第２の表示手段の両方で表示する場合における概念図である。
【図４】図１に示した携帯機器の外観斜視図である。
【図５】図１に示した携帯機器の主要分解斜視図である。
【図６】第１実施形態に係る動作を示すフローチャートである。
【図７】第１実施形態に係る誤動作防止設定を解除する動作を示すフローチャートである。
【図８】第１実施形態に係る第２の表示モードに切り替える動作を示すフローチャートである。
【図９】図１に示した携帯機器における背面蓋の側面付近の部分拡大図である。
【図１０】図１に示した携帯機器における背面蓋の側面付近の他の部分拡大図である。
【図１１】第２実施形態に係る蓋体の折り畳み角度の変化を検知したときの動作を示すフローチャートである。
【図１２】第２実施形態に係る、第２の表示モードから第１の表示モードに切り替える動作を示すフローチャートである。
【図１３】第２実施形態に係る電源容量が所定の閾値より少なくなった場合の動作を示すフローチャートである。
【図１４】第２実施形態に係る誤動作防止設定を設けた場合の動作を示すフローチャートである。
【図１５】本発明の第３実施形態に係る蓋体の折り畳み角度の変化を検知したときの動作を示すフローチャートである。
【図１６】第３実施形態に係る第２の表示モードに切り替える動作を示すフローチャートである。
【図１７】第３実施形態に係る第２の表示モードから第１の表示モードに切り替える動作を示すフローチャートである。
【図１８】本発明の第４実施形態に係る動作を示すフローチャートである。
【図１９】本発明の第５実施形態に係る動作を示すフローチャートである。
【図２０】本発明の第６実施形態に係る動作を示すフローチャートである。
【図２１】本発明の第６の実施形態に係る他の動作を示すフローチャートである。
【符号の説明】
１２  蓋体
１３  操作部
１３ａ、１３ｂ  操作用の画像
１４  第２の透明カバー
１４ａ、１４ｂ  観察用の画像
２３  マイコン等
２４  角度抽出手段
２５  画像情報判定手段
１００  携帯機器
１１０  下蓋体
１１１  上蓋体
１１４  背面蓋
１２０  第１の表示手段
１２１  照明手段
１２３  ヒンジ
１２４、１２５  角度検出スイッチ
１３０  第２の表示手段
１３１  照明手段
【図１】
2004287793.tif 000003
【図２】
2004287793.tif 000004
【図３】
2004287793.tif 000005
【図４】
2004287793.tif 000006
【図５】
2004287793.tif 000007
【図６】
2004287793.tif 000008
【図７】
2004287793.tif 000009
【図８】
2004287793.tif 000010
【図９】
2004287793.tif 000011
【図１０】
2004287793.tif 000012
【図１１】
2004287793.tif 000013
【図１２】
2004287793.tif 000014
【図１３】
2004287793.tif 000015
【図１４】
2004287793.tif 000016
【図１５】
2004287793.tif 000017
【図１６】
2004287793.tif 000018
【図１７】
2004287793.tif 000019
【図１８】
2004287793.tif 000020
【図１９】
2004287793.tif 000021
【図２０】
2004287793.tif 000022
【図２１】
2004287793.tif 000023